(57)【要約】【課題】セキュリティ性を確保しながら使用者にとっては容易な操作で、タッチパネル機能を無効化したり、タッチパネル機能の無効化を解除したりする。【解決手段】タッチパネル機能によって情報が入力される正面ＬＣＤ１２と、タッチパネル機能を無効化したり無効化を解除したりする制御部１６とを少なくとも有するタブレット端末において、タブレット端末の動作を制御するための電源ボタン１４及びスイッチ１５を有し、制御部１６は、電源ボタン１４及びスイッチ１５に対する操作を含む第１の操作が行われた場合にタッチパネル機能を無効化し、電源ボタン１４及びスイッチ１５に対する操作を含む第２の操作が行われた場合にタッチパネル機能の無効化を解除する。【選択図】図２
2013114564.tif 000002
【特許請求の範囲】
【請求項１】
タッチパネル機能によって情報が入力される入力手段と、前記タッチパネル機能を無効化したり該無効化を解除したりする制御手段とを少なくとも有する携帯端末において、
前記携帯端末の動作を制御するための物理的スイッチを有し、
前記制御手段は、前記物理的スイッチに対する操作を含む第１の操作が行われた場合に前記タッチパネル機能を無効化し、前記物理的スイッチに対する操作を含む第２の操作が行われた場合に前記無効化を解除することを特徴とする携帯端末。
【請求項２】
請求項１に記載の携帯端末において、
前記物理的スイッチを複数有し、
前記制御手段は、前記複数の物理的スイッチを用いた前記第１の操作が行われた場合に前記タッチパネル機能を無効化し、前記複数の物理的スイッチを用いた前記第２の操作が行われた場合に前記無効化を解除する携帯端末。
【請求項３】
請求項１に記載の携帯端末において、
前記制御手段は、前記物理的スイッチに対する操作と前記入力手段に対する操作とによる前記第１の操作が行われた場合に前記タッチパネルを無効化し、前記物理的スイッチに対する操作と前記入力手段に対する操作とによる前記第２の操作が行われた場合に前記無効化を解除する携帯端末。
【請求項４】
請求項１乃至３のいずれか１項に記載の携帯端末において、
前記制御手段は、前記物理的スイッチに対する操作を含む第１の操作が行われた場合に前記携帯端末に対する全操作を無効化し、前記物理的スイッチに対する操作を含む第２の操作が行われた場合に前記全操作無効化を解除する携帯端末。
【発明の詳細な説明】
【技術分野】
【０００１】
本発明は、タッチパネル機能を有する携帯端末に関し、特に、タッチパネル機能の無効化技術に関する。
【背景技術】
【０００２】
近年、タッチパネルを搭載したタブレット端末が普及している。このようなタブレット端末は、直感的なタッチ操作にてゲームやアプリケーション等を楽しむことができるが、それゆえに使用者が期待しない誤動作が生じる可能性が高い。例えば、カーナビアプリケーションによる誘導中や動画再生中等に誤ってタッチパネルに触れてしまい、誤動作となるケースがある。また、年齢の幼い子供に手渡して動画等を見させる場合に、年齢の幼い子供は操作方法を理解していないために、誤って電話発信やデータ消去等の操作をされてしまう虞れがある。
【０００３】
そこで、タッチパネルに対して暗証コードの入力等の所定の操作を行うことにより、タッチパネル機能を無効化する技術が実用化されているが、無効化の解除もタッチパネルに対する操作によって行われるため、第三者にタッチパネル機能の無効化を解除されてしまう虞れがある。また、タッチパネルに対する入力自体が無効化されることにより、ロックの解除を行うことができなくなる場合もある。
【０００４】
ここで、２つの筐体がスライド可能に連結した携帯端末において、その形態に応じてタッチパネル機能を無効化したり、無効化を解除したりする技術が特許文献１に開示されている。
【先行技術文献】
【特許文献】
【０００５】
【特許文献１】特開２００９−１５７８０９号公報
【発明の概要】
【発明が解決しようとする課題】
【０００６】
しかしながら、特許文献１に開示された技術においては、携帯端末の形態に応じてタッチパネル機能を無効化したり、無効化を解除したりするものであるため、携帯端末の形態を決められた形態としなければ、タッチパネル機能を無効化したり、無効化を解除したりすることができないという問題点がある。
【０００７】
本発明は、上述したような技術が有する問題点に鑑みてなされたものであって、セキュリティ性を確保しながら使用者にとっては容易な操作で、タッチパネル機能を無効化したり、タッチパネル機能の無効化を解除したりすることができる携帯端末を提供することを目的とする。
【課題を解決するための手段】
【０００８】
上記目的を達成するために本発明は、
タッチパネル機能によって情報が入力される入力手段と、前記タッチパネル機能を無効化したり該無効化を解除したりする制御手段とを少なくとも有する携帯端末において、
前記携帯端末の動作を制御するための物理的スイッチを有し、
前記制御手段は、前記物理的スイッチに対する操作を含む第１の操作が行われた場合に前記タッチパネル機能を無効化し、前記物理的スイッチに対する操作を含む第２の操作が行われた場合に前記無効化を解除することを特徴とする。
【発明の効果】
【０００９】
本発明は、携帯端末に設けられた物理的スイッチに対する操作を含む第１の操作が行われた場合にタッチパネル機能を無効化し、物理的スイッチに対する操作を含む第２の操作が行われた場合にタッチパネル機能の無効化を解除する構成としたため、セキュリティ性を確保しながら使用者にとっては容易な操作で、タッチパネル機能を無効化したり、タッチパネル機能の無効化を解除したりすることができる。
【図面の簡単な説明】
【００１０】
【図１】本発明の携帯端末の実施の一形態を示す図であり、（ａ）は正面図、（ｂ）は側面図、（ｃ）は（ｂ）に示したスイッチの状態を示す図、（ｄ）は（ｂ）に示したスイッチの状態を示す図である。
【図２】図１に示したタブレット端末の機能ブロック図である。
【図３】図１及び図２に示したタブレット端末の制御方法の一例を説明するためのフローチャートである。
【図４】図１及び図２に示したタブレット端末の制御方法の他の例を説明するためのフローチャートである。
【発明を実施するための形態】
【００１１】
以下に、本発明の実施の形態について図面を参照して説明する。
【００１２】
図１は、本発明の携帯端末の実施の一形態を示す図であり、（ａ）は正面図、（ｂ）は側面図、（ｃ）は（ｂ）に示したスイッチ１５の状態を示す図、（ｄ）は（ｂ）に示したスイッチ１５の状態を示す図である。
【００１３】
本形態は図１に示すように、筐体１１の正面に正面ＬＣＤ１２及びホームボタン１３が設けられているとともに、筐体１の側面に電源ボタン１４及びスイッチ１５が設けられて構成されたタブレット端末１である。
【００１４】
正面ＬＣＤ１２は、表示機能及びタッチパネル機能を具備し、タッチパネル機能によって情報が入力される入力手段となるものであって、その全面がタッチパネルとなっている。また、ホームボタン１３は、正面ＬＣＤ１１の下部に設けられ、ホーム画面に遷移するときに押下するものであって、物理的なスイッチからなる。
【００１５】
電源ボタン１４は、タブレット端末１の電源をＯＮ／ＯＦＦする際に押下するものであって、物理的なスイッチからなる。また、スイッチ１５は、マナーモード切り替え用のスイッチであり、図１（ｃ），（ｄ）に示すように、スライドさせることによってＯＮ／ＯＦＦを切り替えることができる物理的なスイッチである。
【００１６】
図２は、図１に示したタブレット端末１の機能ブロック図である。
【００１７】
図１に示したタブレット端末１は、ホームボタン１３、電源ボタン１４及びスイッチ１５に対する操作に応じて正面ＬＣＤ１２を制御する制御部１６を有している。制御部１６は、正面ＬＣＤ１２における表示を制御するとともに、ホームボタン１３、電源ボタン１４及びスイッチ１５に対する操作を含む第１の操作が行われた場合に正面ＬＣＤ１２のタッチパネル機能を無効化し、また、ホームボタン１３、電源ボタン１４及びスイッチ１５に対する操作を含む第２の操作が行われた場合に正面ＬＣＤ１２のタッチパネル機能の無効化を解除する。
【００１８】
以下に、上記のように構成されたタブレット端末１における正面ＬＣＤ１２のタッチパネル機能の制御方法について説明する。
【００１９】
図３は、図１及び図２に示したタブレット端末１の制御方法の一例を説明するためのフローチャートである。
【００２０】
まず、正面ＬＣＤ１２に表示されたメニュー画面にある無効スイッチ機能設定メニューを選択して、無効スイッチ機能を有効にするか無効にするか設定する（ステップ１１）。
【００２１】
無効スイッチ機能を有効にした場合（ステップ１２）、電源ボタン１４やスイッチ１５を組み合わせた第１の操作により正面ＬＣＤ１２のタッチパネル機能が無効化される。一例として、電源ボタン１４を押しながらスイッチ１５をＯＦＦからＯＮにした場合にタッチパネル機能が無効化される（ステップ１３）。
【００２２】
その後、電源ボタン１４を押しながらスイッチ１５をＯＮからＯＦＦする等の第２の操作が行われると、正面ＬＣＤ１２のタッチパネル機能の無効化が解除され、正面ＬＣＤ１２のタッチパネル機能が有効化される（ステップ１４）。
【００２３】
また、無効スイッチ機能が無効であった場合は、正面ＬＣＤ１２のタッチパネル機能が無効化されずに、通常動作が行なわれることになる（ステップ１５）。
【００２４】
なお、上述した物理的スイッチの組み合わせ操作は一例であり、使用するタブレット端末１や、使用者が任意に決めた様々な方法により実現できる。
【００２５】
上述した処理を行うことにより、タブレット端末１にて動画ファイルを再生している状態で、正面ＬＣＤ１２のタッチパネル機能の無効化を行った後に、タブレット端末１を年齢の幼い子供に手渡すことで、誤って操作されることを防ぎつつ使用することが可能となる。動画ファイルの再生終了後は、上述したようにタッチパネルの有効化を行い、通常状態に戻す。
【００２６】
（他の実施の形態１）
図３に示した方法の場合、ホームボタン１３等の物理的スイッチを実装するタブレット端末の場合、タッチパネル以外の入力操作による誤動作が想定されるため、更に強い制限をかける方法を以下に示す。
【００２７】
図４は、図１及び図２に示したタブレット端末１の制御方法の他の例を説明するためのフローチャートである。
【００２８】
まず、正面ＬＣＤ１２に表示されたメニュー画面にある全操作無効スイッチ機能設定メニューを選択して、全操作無効スイッチ機能を有効にするか無効にするか設定する（ステップ２１）。
【００２９】
全操作無効スイッチ機能を有効にした場合（ステップ２２）、ホームボタン１３や電源ボタン１４、スイッチ１５を組み合わせた第１の操作により、タブレット端末１に対する全操作が無効化される。一例として、ホームボタン１３と電源ボタン１４を押しながらスイッチ１５をＯＦＦからＯＮにした場合に全操作が無効化される（ステップ２３）。
【００３０】
その後、ホームボタン１３と電源ボタン１４を押しながらスイッチ１５をＯＮからＯＦＦする等の第２の操作が行われると、タブレット端末１に対する全操作無効化が解除される（ステップ２４）。
【００３１】
また、全操作無効スイッチ機能が無効であった場合は、タブレット端末１に対する全操作が無効化されずに、通常動作が行なわれることになる（ステップ２５）。
【００３２】
なお、上述した物理的スイッチの組み合わせ操作は一例であり、使用するタブレット端末１や、使用者が任意に決めた様々な方法により実現できる。
【００３３】
（他の実施の形態２）
一般に、電源ボタン１４は、機器のフリーズや強制電源切断用に、ソフトウェア処理であれば比較的高い優先度で、また、ハードウェアであれば本体システムとは違う電源サブシステム内や本体システムの割り込みを使った比較的高い優先度で、それぞれ、長押しで電源をＯＮ／ＯＦＦできるように設計されている場合が多い。また、省電力のためにサスペンド操作用として短押しがアサインされている。
【００３４】
そこで、電源ボタン１４が所定時間以上押下された（長押し）場合に電源をＯＮ／ＯＦＦする電源制御手段を有する携帯端末においては、電源ボタン１４が所定時間未満押下されて（短押し）離された場合にサスペンド動作を行い、また、電源ボタン１４が長押しされている状態にて電源ＯＦＦ動作を表示し、その状態から電源ボタン１４が離された場合に電源ＯＦＦ処理を開始し、また、電源ボタン１４が長押しされている状態（電源ＯＦＦ動作表示中）にて、スイッチ１５を組み合わせた入力をおこなうことでタッチパネル機能の無効／解除処理を行うことが考えられる。
【００３５】
ただし、スイッチ１５の他にスイッチが１個以上（専用のロックスイッチ等）ある場合でも、電源ボタン１４を先に長押しし、電源ＯＦＦ動作表示中にスイッチ１５とスイッチ１５以外の設置されたスイッチを組み合わせた条件によるタッチパネル機能の無効／解除についても設定することができる。
【００３６】
（他の実施の形態３）
電源ボタン１４を長押し中に、タッチパネル機能を一時的に有効にして、正面ＬＣＤ１２に対して、所定時間内に予め設定した入力内容（ジェスチャー、図形入力等）が入力された場合、タッチパネル機能を有効化して正面ＬＣＤ１２のロック状態を解除することも考えられる。なお、この場合、電源ＯＦＦ処理はされない。
【００３７】
なお、上述した２つの他の実施の形態において、電源ボタン１４が長押しされている状態においてスイッチ１５やジェスチャー等を組み合わせた入力を行うことによってタッチパネル機能の無効化の解除を行う際は、必ずしも電源ＯＦＦ処理の開始及びその表示を行う必要はない。
【００３８】
また、電源ボタン１４が長押しされた状態での上記無効化の解除のための操作は、必ずしも電源ボタン１４が押された状態で所定時間以上経過する必要はない。電源ボタン１４が押され、かつその後に無効化の解除のための操作が行われればタッチパネル機能の無効化を解除してもよいし、電源ボタン１４が押され、または離されてから所定時間以内に無効化の解除のための操作が行われるかを待って、その操作が行われればタッチパネル機能の無効化を解除し、上記無効化の解除のための操作が行われない場合は短押し、または長押しそれぞれに割り当てられた動作を行ってもよい。なお、この場合の所定時間とは、長押し判定の時間と異なっても良い。つまり電源ボタン１４を長押し、解放した後しばらくの間は、無効化の解除のための操作の待ち時間としてもよい。
【符号の説明】
【００３９】
１    タブレット端末
１１    筐体
１２    正面ＬＣＤ
１３    ホームボタン
１４    電源ボタン
１５    スイッチ
１６    制御部
【図１】
2013114564.tif 000003
【図２】
2013114564.tif 000004
【図３】
2013114564.tif 000005
【図４】
2013114564.tif 000006